(57)【要約】【課題】  本発明の目的は、ディスクの種類によって汚れ等の検出の方法及び手段を変えることにより、種々のディスクに対応可能な汚れ等検出手段を備えたディスク装置を提供することにある。【解決手段】  異なる記録媒体に情報を記録することができるディスク装置において、前記ディスク状記録媒体が前記ディスク装置に格納されてから前記ディスク状記録媒体に前記記録データを記録または再生する処理が終了するまでの間に、前記ディスク状記録媒体の表面に、汚れ等の、前記記録データを記録あるいは再生するのに妨げとなる物質があるか検出する汚れ等検出処理を前記記録媒体の規格にあわせて検出方法を選択し、前記記録媒体の汚れ等検出手段を有することを特徴とするディスク装置。【選択図】図２
2005166152.tif 000002
【特許請求の範囲】
【請求項１】
交換可能なディスク状記録媒体に画像或いは音声などの記録データを記録、或いは前記ディスク状記録媒体から前記記録データを再生するディスク装置であって、
異なる種類のディスク状記録媒体に対し前記記録データを記録或いは再生することができ、
前記交換可能なディスク状記録媒体の種類を判別する媒体判別手段を有し、
前記媒体判別手段により判別した前記ディスク状記録媒体の種類に対応して前記ディスク状記録媒体の表面に前記記録データを記録或いは再生するのに妨げとなる汚れ等があるかを検出する汚れ等検出手段を有することを特徴としたディスク装置。
【請求項２】
請求項１に記載のディスク装置であって、汚れ等検出処理を行う回数を設定して、前記汚れ等検出手段が汚れ等検出処理を行うことを特徴とするディスク装置。
【請求項３】
請求項２に記載のディスク装置であって、前記ディスク状記録媒体が記録可能なディスクのときに、前記汚れ等検出手段が汚れ等検出処理を１回ないし複数回行うことを特徴とするディスク装置。
【請求項４】
請求項２に記載のディスク装置であって、前記ディスク状記録媒体が再生専用ディスクのときに、前記汚れ等検出手段が汚れ等検出処理を行わないことを特徴とするディスク装置。
【請求項５】
請求項３に記載のディスク装置であって、前記汚れ等検出手段が前記記録ディスクの一部領域で、検出すると検出を行わないの処理を１回ないし複数回行うことを特徴とするディスク装置。
【請求項６】
請求項５に記載のディスク装置であって、前記ディスク状記録媒体が書き換え可能な書換型記録ディスクのときに、前記書換型記録ディスク上のエンボスピット領域以外で前記汚れ等検出手段が汚れ等検出処理を行うことを特徴とするディスク装置。
【請求項７】
請求項５に記載のディスク装置であって、前記ディスク状記録媒体が１回のみの追記型記録ディスクのときに、前記追記型記録ディスク上の記録領域で前記汚れ等検出手段が汚れ等検出処理を行うことを特徴とするディスク装置。
【請求項８】
請求項３に記載のディスク装置であって、前記記録ディスクの記録済み領域と未記録領域とで、前記汚れ等検出手段が汚れ等検出処理を行うときに汚れ等検出しきい値を変更することを特徴とするディスク装置。
【請求項９】
請求項１に記載のディスク装置であって、上記汚れ等検出手段によりる汚れ等検出処理を行い汚れ等を検出したときに検出結果を表示する表示手段を有することを特徴とするディスク装置。
【請求項１０】
交換可能なディスク状記録媒体から画像或いは音声などの記録データを再生するディスク装置であって、
異なる種類のディスク状記録媒体から記録データを再生することができ、
前記ディスク状記録媒体の種類に対応して前記ディスク状記録媒体の表面に前記記録データを再生するのに妨げとなる汚れ等があるかを検出する汚れ等検出手段を有することを特徴としたディスク装置。
【発明の詳細な説明】
【技術分野】
【０００１】
本発明は、光ディスクなどのディスク状記録媒体を用いるディスク装置に係り、特に、数種類の記録媒体に画像及び音声などの情報を記録するディスク装置に関する。
【背景技術】
【０００２】
記録型の光ディスクは大量の情報を記録でき、かつ媒体互換が可能な特徴を備えている。情報の再生はレーザ光を情報記録面に集光し、記録マークによって変調された反射光を検出して行う。情報の記録は再生光よりも大きなパワーのビームを情報記録面に照射することによって記録マークを熱的に形成して行う。
【０００３】
媒体互換型の光ディスクは、ハードディスクのような磁気情報記録装置と違って、情報記録装置に頻繁に出し入れされることになるため、ほこりや指紋のような汚れ、傷などがつきやすい。光ディスクへの情報の記録は非接触に行われるが、光ディスク表面に汚れや傷などがあると、記録マークの形成に支障が生じることもあり、本来記録すべきデータが記録できず、それがデータの誤りとして現れるなどの問題があった。
【０００４】
また、従来のディスク装置では、例えば、ディスク装置に格納されている光ディスクの記録領域にデータをいったん記録し、前記データを再生することよって得られるデータ誤り率から光ディスクが汚れているか判断していた。別の従来のディスク装置では、光ディスクにデータを記録しながら、光学ヘッドの制御に用いられる信号などの、特定の信号の変動を見ることによりディスク上の汚れの有無を判定していた。
【０００５】
例えば特許文献１に示されるような、ディスク状の特定領域に記録された情報を読み出すことにより、ディスク上の汚れや傷を検知する光ディスク装置がある。また、特許文献２に記載されているように、データを記録する際に特定の信号を見ることによって、ディスク上の汚れや傷を検知する光ディスク装置がある。
【０００６】
【特許文献１】特開平５−２７４７０７号公報
【０００７】
【特許文献２】特開２００３−９９９２２公報
【発明の開示】
【発明が解決しようとする課題】
【０００８】
前記従来技術では、光ディスク上の特定の領域だけ汚れや傷がないかを見ているため、指紋のような、ディスクの一部領域に偏在する場合には、汚れは検出できない。また、特許文献２のような方法の場合、データを記録しながら特定の信号を監視し、汚れや傷がないか検出する方法を示すのみである。したがって、種々のディスクに一つの装置で情報を記録再生するディスク装置では、各種ディスクに対応した汚れの検出ができないばかりか全く考慮されていなかった。
【０００９】
上記の方法の場合、ディスクにデータを記録再生することや、光学ヘッドの制御に用いられる信号がディスクからの反射光に基づいていることから、ディスク種類に固有な、記録再生や光学ヘッド制御用の各種設定値が必要であった。しかし、ディスクの種類によってディスクの構造が違うため、同一の汚れ等検出方法では種々のディスクに対応できなかった。したがって、従来のディスク装置では、同一の前記各種設定値や制御方法を用いるディスクしか汚れ等を検出できなかった。
【００１０】
さらに、記録用ディスクと再生専用ディスクとでは、汚れ等による情報記録再生への影響の大きさが違うので、ディスク種類によらない画一的な汚れ検出処理では無駄な処理時間が生じていた。
【課題を解決するための手段】
【００１１】
本発明の目的は、前記不具合点を解消し、ディスクの種類によって汚れ等の検出の方法及び手段を変えることにより、種々のディスクに対応可能な汚れ等検出手段を備えたディスク装置を提供することにある。
【００１２】
前記課題を解決するために、本発明のディスク装置は、ディスクがディスク装置に格納されたときに、格納されたディスクの種類を判別する。そして、判別されたディスク種類に基づき、汚れ等検出手段は汚れ等検出の回数や各種設定を行い、ディスクの種類に対応した汚れ等の検出を行う。また、判別されたディスク種類が、記録型ディスクの場合には、例えばエンボスピット領域の有無等ディスクの構造上の違いにより、汚れ等を検出するディスク上の領域を設定する。さらに、判別されたディスク種類が、記録型ディスクの場合には、ディスク上の記録済み領域と未記録領域とで例えば反射率が相違するときには、汚れ等を検出するためのしきい値などを変更する。
【００１３】
なお、本発明のディスク装置は、ディスク上の記録データの記録或いは再生に妨げとなるものとして、具体的にはほこりや指紋のような汚れ、傷などがあげられ、汚れ等と表すものである。
【発明の効果】
【００１４】
本発明によれば、ディスクがディスク装置に格納されたときに、前記ディスクの種類を判別し、前記ディスクの種類に対応した汚れ等検出手段で汚れ等の検出を行なうことによって、種々のディスクに対応した汚れ等検出が可能となる。
【発明を実施するための最良の形態】
【００１５】
以下、本発明の実施例を図１、図２、図３、図４、図５を用いて説明する。
図１は、一般的なドライブ装置を用いた装置例の概略構成を示すブロック図である。
図１において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってデジタル化して出力する。５は、撮影手段１からの画像信号を画像データに変換処理する画像信号処理手段で、この画像信号処理手段５は、音声情報信号入力手段であるマイクロフォン１４からの音声情報信号をも処理するようになっている。また、再生時には、画像信号処理手段５は、後記記録再生信号処理手段６からの画像データを、表示出力用の画像情報信号に変換処理するようになっており、さらに、この画像信号処理手段５は、後記記録再生信号処理手段６からの音声データを音声出力用の音声情報信号に変換処理するようになっている。ビデオカメラの場合、画像データ、音声データは連続的に画像信号処理手段５で処理を行われており、画質、音質は、画質信号処理手段５の処理能力で決められ、その処理能力により画像信号処理手段５から記録再生信号処理手段６に送られるデータの転送速度が決まる。
【００１６】
６は記録再生信号処理手段で、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。ディスクへの記録、或いは再生の転送速度は、上記記録再生信号処理手段６の処理能力、記録再生手段８の処理能力、ディスクの回転速度等により決まる。７は上記画像信号処理手段５からの画像データ（音声データを含む）を一時記憶するメモリである。上記メモリは、画像信号処理手段５から転送される画像データ或いは音声データの転送速度が、ディスク状記録媒体９に記録を行う速度より速い場合に蓄積されている。従って、ディスク状記録媒体９への記録は、前記メモリへの蓄積量がメモリ容量以上にならないうちに記録する必要がある。
【００１７】
８は記録再生手段、９は図示せぬスピンドルモータによって回転駆動されるディスク状記録媒体（光ディスク）、１０はレーザ光源（レーザダイオード）や光学系、光検出器等よりなる光学ヘッドであり、記録再生手段８は、光学ヘッド１０によって、上記メモリ７に記憶された上記記録データを上記光ディスク９へ記録し、また、光学ヘッド１０によって、光ディスク９から再生された上記記録データを上記メモリ７に一時記憶させる。１１は光記録に必要なサーボ制御、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。
【００１８】
１５はＬＣＤ（液晶ディスプレイ）等よりなる画像表示手段である。再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１５に表示される。
【００１９】
１２は、装置全体の統括制御を司る制御マイコンよりなるシステム制御手段で、このシステム制御手段１２によって、上述した装置の各部の制御や、全体の統括管理を行う。
【００２０】
図２は、本発明のドライブ装置を用いた一実施例の概略構成を示すブロック図である。図１と同じ番号を付したものは同一の機能を果たすものとする。３０は、本ディスク装置の利用者が格納したディスク９が、記録用ディスクか再生専用ディスクか、記録用ディスクならば書換型か追記型か、などのディスク種類を判別した判定情報を保持し、システム制御手段１２に前記判定情報を伝える機能を保有する媒体判別手段である。媒体判別手段３０は、ディスク装置の電源が切られた後にも前記判定情報を保持することが可能であるように設定する。例えば、不揮発メモリのようなものを３０の構成要素の一つとすればよい。
【００２１】
前記ディスクが本ディスク装置から取り出されたときには、前記判定情報は消去、あるいは無効扱いとしてもよいし、または、ディスクの固有情報とともに保持されてもよい。どのようにディスクの種類を判定するかは後で詳述するが、本ディスク装置に現在かけられているディスクの種類を、ユーザが光ディスクを本装置に格納したときに、媒体判別手段３０が判定できれば、ディスクの種類にあわせた、記録再生や光学ヘッドなどの制御に必要な各種設定値を設定することや汚れ等の検出方法を選択することができ、その結果、ユーザが様々な種類のディスクを本ディスク装置に格納しても、ディスク種類によらずディスク上の汚れ等を、汚れ等検出手段３１により検出することが可能となる。
【００２２】
次に、本発明による、ディスクの種類を判別した後にディスク上に指紋のような汚れ等があるかどうかを判定するフローの一例を、図３と図４を用いて説明する。
【００２３】
ディスク装置が利用開始されると、まずステップＳ１０１において、ユーザによりディスク９が本ディスク装置に格納される。ディスク９が本ディスク装置に格納されたのが検出されると、ステップＳ１０２でディスク９の回転が始まる。
【００２４】
続いて媒体判別処理を行う（ステップＳ１０３）。ステップＳ１０３の媒体判別結果に基づき、本ディスク装置に格納されているディスク種類に適した汚れ等検出の方法や条件を選択するのがステップＳ１０４である。例えば、光ディスク９が記録用の光ディスクと判定され、かつ、その記録用の光ディスクがＤＶＤディスクであった場合、書換型記録ディスクか１回のみ記録の追記型記録ディスクかの違いや、ＤＶＤ−ＲＷやＤＶＤ−Ｒのような、ＤＶＤ−ＲＯＭとの構造的互換性の高いディスクなのか、といったディスクの種類により汚れ等検出の方法を変更する。
【００２５】
すなわち、ＤＶＤ−ＲＡＭなどの書換型記録ディスクは、ディスク上の領域にランダムに記録・消去を繰り返し行えるのに対し、ＤＶＤ−Ｒなどの１回のみの追記型記録ディスクは、ディスク上の領域のどこからどこまでにデータが記録されているかはっきりしており、記録済み領域と未記録領域の反射率が大きく異なっている。後で述べるが、汚れ等検出処理はディスク９からの反射光に基づく信号から汚れ等を検出する処理であるので、ディスク９が１回のみの追記型記録ディスクであると判定された場合には、記録済み領域と未記録領域とにおいて汚れ等と検出するしきい値を変更することができ、汚れ等をより正確に検出することが可能となる。ステップＳ１０４では、このような汚れ等検出の方法を選択し、その方法に必要なしきい値などの各種設定値を設定する。
【００２６】
また、ＤＶＤ−ＲＷディスクやＤＶＤ−Ｒディスクと違って、ＤＶＤ−ＲＡＭディスクは図５のような、溝とエンボスピット２１の領域をそれぞれ繰り返しながらスパイラル状に内周から外周へと１本につながったような構造となっていて、これをトラックと呼ぶ。情報を記録する溝領域と、セクタ番号などがあらかじめ設定されているエンボスピット領域とでは反射率が大きく異なる。そこで、媒体判別手段が、本ディスク装置に格納されているディスク９がＤＶＤ−ＲＡＭディスクであると判定した場合、光学ヘッド１０がディスク９のエンボスピット領域を走査しているときには汚れ等検出処理を行わず、溝領域を走査しているときに汚れ等検出処理を行うようにする。
【００２７】
このように、汚れ等の検出処理は行ったり行なわなかったりを１回ないし複数回繰り返し、この回数はディスクの種類に応じてディスク装置で決める。
【００２８】
ＤＶＤ−ＲＷディスクやＤＶＤ−Ｒディスクである場合には、ディスクの領域全体で汚れ等検出処理を行うようにする。ステップＳ１０４では、このような汚れ等検出の方法を選択し、その方法に必要なしきい値などの各種設定値を設定する。その結果、ＤＶＤ−ＲＡＭディスクのエンボスピット領域を汚れ等と誤検出することを防ぐことが可能となる。
【００２９】
さらに、光ディスク９が記録用ディスクではなく、ＣＤ−ＲＯＭディスクやＤＶＤ−ＲＯＭディスクなどのような再生専用ディスクである場合には、情報をディスクに記録することはないので、記録用ディスクに比べて、汚れ等に対する許容度は大きい。したがって、媒体判別手段が、本ディスク装置に格納されているディスク９が再生専用ディスクであると判定した場合、汚れ等と検出するしきい値を記録用ディスクの場合のしきい値より大きい値に設定する。あるいは、再生専用ディスクに対しては汚れ等検出処理を行わないようにしてもよい。ステップＳ１０４では、記録媒体の種類に合わせて、このような汚れ等検出の方法を選択し、その方法に必要なしきい値などの各種設定値を設定する。
【００３０】
ステップＳ１０５でディスク上に汚れ等があると判定された場合には、ステップＳ１０６に進み、ユーザにディスク上に汚れ等があると警告する。この警告は、システム制御手段１２により、任意の外部表示装置、例えばカムコーダならば液晶ディスプレイ、に表示される。表示例を図６に示す。
【００３１】
ステップＳ１０７は、ここでは詳述しないが、記録用光ディスクにデータを記録するために必要な各種設定値、例えばレーザ強度やレーザ発光間隔など、を調整・設定する処理である。
【００３２】
次に、汚れ等検出手段３１による汚れ等検出処理の例を説明する。
ディスク９からの反射光に基づくトータル光量信号（ＰＥ信号）あるいはフォーカス・エラー信号（ＦＥ信号）、トラッキング・エラー信号（ＴＥ信号）など、光学ヘッド１０の制御に用いられる信号の変動からディスク９上にある汚れ等を検出する。この方法を以下、サーボによる汚れ等検出処理と呼ぶことにする。ディスク９上に指紋のような汚れがあった場合には、ディスク９からの反射光に散乱などの影響を与えるため、ＰＥ信号やＦＥ信号、ＴＥ信号などに変動を生じさせる。ディスク９がＤＶＤ−ＲＡＭディスクの場合には、データの記録位置などを決めるためのＰＩＤなどの構造がディスク９上にあらかじめエンボスピットとして設けられているが、これらは周期的な構造であるため、指紋などの汚れによる信号の変動とは区別が可能である。あるいは、上述したように、エンボスピット領域では汚れ等検出処理を行わないことにより、汚れとして誤検出することを防ぐことが可能である。
【００３３】
あるいは、前記サーボによる汚れ等検出処理の代わりに、記録されたデータを、所定記録単位ごとに読み込み、その記録データのオリジナルデータに対する誤り量を調べ、その誤り量が所定値（以下、汚れ等しきい値Ａと呼ぶことにする）を超えているか判定してもよい。この方法を以下、エラーレートによる汚れ等検出処理と呼ぶことにする。データがディスク９に記録されるときには所定単位ごとに記録されるのが一般的である。
【００３４】
例えば、ＤＶＤ−ＲＡＭディスクの場合には、１ＥＣＣブロック単位ごとに記録される。所定記録単位ごとに読み込む契機の一例を以下に説明する。例えばＤＶＤディスクカムコーダで映像音声信号をＭＰＥＧ２で記録する場合には、本ディスク装置には最大１２Ｍｂｐｓでデータが送られてくるのに対し、本ディスク装置がデータを記録するレートは約２２Ｍｂｐｓであるので、本ディスク装置が、データが送られてくるのを待つ空き時間が有り、この空き時間を読み込む契機として用いればよい。
【００３５】
また、所定記録単位ごとに読み込む量は、所定記録単位全て読み込む必要は無く、ディスク９のトラック２，３周分のデータ量、約２００ｋＢで十分である。なぜなら、所定記録単位が例えば１６ＭＢであった場合、ディスク９のトラック１周に約６４ｋＢ記録できるので、記録データはディスク９上でトラック２５０周分、半径方向に１８５μｍの幅の領域に記録され、指紋のような汚れの場合、汚れは２５０周分のトラック全てにわたって付いていると考えられるからである。
【００３６】
さらに、データを読み込む契機については、ディスク９上の例えば１トラック分データを記録した後に、そのデータを読み込むようにすれば、光学ヘッド１０の移動量、すなわちシーク量が小さくなり、データの記録から汚れ等検出処理が終了するまでにかかる時間が短くなる。以上の処理の結果、前記誤り量が汚れ等しきい値Ａを超えていた場合には、データが適正に記録できていない可能性があり、ディスク９上に汚れ等があると判定する。
【００３７】
ここまでは、データをディスク上に記録する場合の汚れ等検出処理を述べてきたが、ユーザがディスク上のデータを再生する場合にも本処理を基本的に適用可能である。データがディスク９から再生されるときには所定単位ごとに再生されるのが一般的である。例えば、ＤＶＤ−ＲＡＭディスクの場合には、１ＥＣＣブロック単位ごとに再生される。再生されたデータを、所定再生単位ごとに読み込み、その再生データのオリジナルデータに対する誤り量を調べ、その誤り量が所定値（以下、汚れ等しきい値Ｂと呼ぶことにする）を超えているか判定すればよい。前記誤り量が汚れ等しきい値Ｂを超えていた場合には、ディスク９上に汚れ等があると判定する。汚れ等しきい値Ｂは、汚れ等しきい値Ａと等しくてもよいし、異なってもよい。
【００３８】
汚れ等検出処理の例として、サーボによる汚れ等検出処理とエラーレートによる汚れ等検出処理を述べたが、これに限る必要はなく、ディスク９上の汚れ等を検出できる処理であれば他の方法でもよい。
【００３９】
図３のステップＳ１０３で行われる媒体判別処理の一例について以下に詳しく述べる。すなわち、どのような規格に基づく種類のディスクが本ディスク装置にかかっているかを判定するフローの一例を、図４を用いて説明する。
【００４０】
媒体判別処理が開始されると、まずステップＳ１において、光学ヘッド１０が光ディスク９の内周側に移動される。次に、ステップＳ２において、光ディスク９がいかなる種類のディスクであろうと、第１種の光ディスク、例えばＤＶＤディスク、の各種設定値が設定される。前記各種設定値とは、フォーカスエラーゲイン値など、前述した、光記録に必要なサーボ制御用の設定値などである。ステップＳ３において、光学ヘッド１０のレンズを一定量下げる。
【００４１】
ステップＳ４において、第１種の光ディスク用レーザを点灯する。どのレーザを点灯させるかは、ディスクの種類によって決まっており、波長、出力などがそれぞれ違ってくる。例えば、ＤＶＤディスクならば波長は630 nmであるし、ＣＤディスクならば波長は780 nmである。光ディスク９からの反射光をもとに各種調整が開始され、フォーカスエラー信号などの信号計測が行われるのがステップＳ５である。
【００４２】
ステップＳ６の信号判定で一定の条件を満たしている場合には、光学ヘッド１０は光ディスク９の外周側に移動し、そこでも内周時と同様な計測と判定が行われるのが、ステップＳ７とステップＳ８である。ステップＳ８においても、一定の条件が満たされていると、光ディスク９は第１種の光ディスクと判定される（ステップＳ９）。光ディスク９が第１種の光ディスクと判定された後、さらに第１種の光ディスク用の種々の調整が行われるステップ（ステップＳ１０）に移行する。
【００４３】
ここでは詳述しないが、例えば第１種の光ディスクがＤＶＤディスクであった場合、ステップＳ１０の調整において、１層ディスクか２層ディスクかの判別や、ＤＶＤ−ＲＡＭやＤＶＤ−Ｒ，ＤＶＤ−ＲＷなどといった種類判定が行われた後、各種ディスクに記録されたデータを再生するための設定値が設定あるいは調整される。
【００４４】
一方、ステップＳ６あるいはステップＳ８において、光ディスク９が第１種の光ディスクでないと判定されると、ステップＳ１１に移行し、第２種の光ディスク、例えばＣＤディスク、の各種設定値が設定される。前記各種設定値とは、フォーカスエラーゲイン値など、前述した、光記録に必要なサーボ制御用の設定値などである。ステップＳ１２において、光学ヘッド１０のレンズを一定量下げる。ステップＳ１３において、第２種の光ディスク用レーザを点灯する。
【００４５】
光ディスク９からの反射光をもとに各種調整が開始され、フォーカスエラー信号などの信号計測が行われるのがステップＳ１４である。ステップＳ１５の信号判定で一定の条件を満たしている場合には、光ディスク９は第２種の光ディスクと判定される（ステップＳ１６）。光ディスク９が第２種の光ディスクと判定された後、さらに第２種の光ディスク用の種々の調整が行われるステップ（ステップＳ１７）に移行する。
【００４６】
ここでは詳述しないが、例えば第２種の光ディスクがＣＤディスクであった場合、ステップＳ１７の調整において、ＣＤ−ＲＯＭやＣＤ−Ｒ，ＣＤ−ＲＷなどといった種類判定が行われた後、各種ディスクに記録されたデータを再生するための設定値が設定あるいは調整される。
【００４７】
ステップＳ１５において、光ディスク９が第２種の光ディスクでないと判定されると、ステップＳ１８に移行し、光ディスク９がないかミスチャッキングと判定される。図４には図示されていないが、さらに多種の光ディスクに対応するドライブ装置の場合には、ステップＳ１８において、第３種の光ディスクの各種設定値が設定され、第１種や第２種の光ディスク判定の時と同様なディスク種類の判定が行われることになり、さらに第４種、第５種と判定が進んでいくことになる。
【００４８】
以上説明したように、格納されたディスクの種類によって汚れ等の検出の方法及び手段を変えることにより、種々のディスクに対応した汚れ等検出が可能であり、この種々のディスクに対応した汚れ等検出手段を備えたディスク装置を提供することで、汚れの誤検出を防ぎ、汚れ等の検出処理が終了するまでに掛かる時間を短縮できる。
【図面の簡単な説明】
【００４９】
【図１】一般的なディスク装置のシステム構成を示す図である。
【図２】本発明の１実施例を示す図で、ディスク装置システム構成を示す図である。
【図３】本発明の１実施例のシステムフローを示す図である。
【図４】本発明の１実施例の媒体判別処理フローを示す図である。
【図５】ＤＶＤ−ＲＡＭディスクの構造の一部を示す図である。
【図６】本発明の１実施例の表示例を示す図である。
【符号の説明】
【００５０】
１・・撮影手段      ２・・撮影光学系    ３・・撮像素子部   ４・・Ａ／Ｄ変換器
５・・画像信号処理手段      ６・・記録再生信号処理手段      ７・・メモリ  
８・・記録再生手段      ９・・記録媒体      １０・・光学ヘッド  
１１・・サーボ      １２・・システム制御手段      １３・・表示手段
１４・・マイクロホン      １５・・画像表示手段      ２１・・エンボスピット
２２・・ランド      ２３・・溝（グルーブ）      ２４・・記録マーク
２５・・トラックウォブリング      ３０・・媒体判別手段
３１・・汚れ等検出手段
【図１】
2005166152.tif 000003
【図２】
2005166152.tif 000004
【図３】
2005166152.tif 000005
【図４】
2005166152.tif 000006
【図５】
2005166152.tif 000007
【図６】
2005166152.tif 000008